(57)【要約】      （修正有）【課題】ＮＤフィルタの挿抜が手動で行われる構成の場合、ＮＤフィルタの要否を表示画面に表示し、ユーザの負担を軽減することができる撮影装置を提供する。【解決手段】開口径可変部を含む撮影光学系と、撮影光学系を介した被写体像を受光して撮像信号に変換する撮像手段と、露光時間可変手段と、開口径と露光時間とを含む第一の撮影条件を設定し制御することにより、撮像信号を所定のレベルに調整する制御手段と、第一の撮影条件に含まれる開口径及び露光時間の少なくとも一方を示す第一の撮影情報を表示画面に表示する撮影情報表示手段とを備えた撮影装置であり、制御手段は、開口径と露光時間について第一の撮影条件に対して所定の減光フィルタによる減光効果を反映した値を第二の撮影条件として計算し、撮影情報表示手段は、第二の撮影条件に含まれる開口径及び露光時間の少なくとも一方を示す第二の撮影情報を第一の撮影情報と共に表示画面に表示する。【選択図】図３
2014202879.tif 000002
【特許請求の範囲】
【請求項１】
開口径を変更することが可能な開口径可変部を含む撮影光学系と、
前記撮影光学系を介した被写体像を受光して撮像信号に変換する撮像手段と、
前記撮像手段の露光時間を変更することが可能な露光時間可変手段と、
前記開口径可変部による開口径と、前記露光時間可変手段による前記撮像手段の露光時間とを含む第一の撮影条件を設定し制御することにより、前記撮像信号を所定のレベルに調整する制御手段と、
前記第一の撮影条件に含まれる開口径及び露光時間の少なくとも一方を示す第一の撮影情報を所定の表示画面に表示する撮影情報表示手段と、
を備え、
前記制御手段は、
前記開口径と前記露光時間について前記第一の撮影条件に対して所定の減光フィルタによる減光効果を反映した値を第二の撮影条件として計算し、
前記撮影情報表示手段は、
前記第二の撮影条件に含まれる開口径及び露光時間の少なくとも一方を示す第二の撮影情報を前記第一の撮影情報と共に前記表示画面に表示すること
を特徴とする、撮影装置。
【請求項２】
前記撮像信号のゲイン値を変更することが可能なゲイン値可変手段
を備え、
前記制御手段は、
前記ゲイン値可変手段により変更されたゲイン値を考慮して前記第二の撮影条件を計算すること
を特徴とする、請求項１に記載の撮影装置。
【請求項３】
前記減光フィルタを前記撮影光学系の光路内と光路外との間で移動させる移動手段と、
所定のメニュー項目の変更操作を受け付ける操作釦と、
前記第一の撮影情報と前記第二の撮影情報とを表示中、前記移動手段による前記減光フィルタの位置を前記光路内と前記光路外との間で切り替える機能を、前記操作釦に割り当てる割当手段と、
を備えること
を特徴とする、請求項１又は請求項２に記載の撮影装置。
【請求項４】
前記撮影情報表示手段は、
前記第一の撮影情報と前記第二の撮影情報との間に前記操作釦を示す情報を並べて前記表示画面に表示すること
を特徴とする、請求項３に記載の撮影装置。
【請求項５】
前記撮影情報表示手段は、
前記第一の撮影条件と前記第二の撮影条件とを比較し、比較の結果に基づいて前記第二の撮影情報の表示の可否を決定すること
を特徴とする、請求項１から請求項４の何れか一項に記載の撮影装置。
【請求項６】
前記撮影情報表示手段は、
前記第二の撮影条件の開口径が前記第一の撮影条件の開口径よりも大きい場合に、前記第二の撮影情報のうち少なくとも開口径を示す情報を前記表示画面に表示すること、
を特徴とする、請求項５に記載の撮影装置。
【請求項７】
前記撮影情報表示手段は、
前記第二の撮影条件の露光時間が前記第一の撮影条件の露光時間よりも長い場合に、前記第二の撮影情報のうち少なくとも露光時間を示す情報を前記表示画面に表示すること、
を特徴とする、請求項５に記載の撮影装置。
【請求項８】
前記減光フィルタによる減光量の入力操作を受け付ける減光量入力手段
を備え、
前記制御手段は、
前記開口径と前記露光時間について前記第一の撮影条件に対して前記減光量入力手段により入力された減光量を反映した値を第二の撮影条件として計算すること
を特徴とする、請求項１から請求項７の何れか一項に記載の撮影装置。
【請求項９】
前記撮影情報表示手段は、
前記第二の撮影条件に関する所定の参照画像を前記表示画面に表示すること
を特徴とする、請求項１から請求項８の何れか一項に記載の撮影装置。
【発明の詳細な説明】
【技術分野】
【０００１】
本発明は、撮像手段の露光量を制御することにより、被写体像の輝度を調整することが可能な撮影装置に関する。
【背景技術】
【０００２】
デジタルスチルカメラなど、被写体を撮影することが可能な撮影装置が普及している。この種の撮影装置では、減光フィルタ（ＮＤ（Neutral Density）フィルタ）を装着して被写体を撮影することができる。ＮＤフィルタによる減光作用を利用することにより、例えば、日中の屋外でも開閉絞りを開いて被写界深度を浅くすることによりボケ感のある画像を撮影することが可能となったり、開閉絞りをあまり絞ることなく（回折限界による画質の低下を抑えつつ）シャッタ速度を遅くして被写体の動きを表現した撮影をすることが可能となる。
【０００３】
例えば特許文献１に、ＮＤフィルタを搭載した撮影装置の具体的構成が記載されている。特許文献１に記載の撮影装置は、露出制御回路より入力される制御値に応じてＮＤフィルタを駆動し、撮像素子の入射光量を制御することにより露出制御を行う。より詳細には、特許文献１に記載の撮影装置は、ＮＤフィルタが絞りと独立して駆動できる構成となっており、露出制御の際に絞りを開放することを優先し、被写界深度の浅い撮影条件で撮影を行う撮影モードが選択された場合には、高輝度の撮影環境下では、電子シャッタ及び絞りによる露出制御よりもＮＤフィルタによる露出制御を優先して行う。
【先行技術文献】
【特許文献】
【０００４】
【特許文献１】特開２００６−１３５４７９号公報
【発明の概要】
【発明が解決しようとする課題】
【０００５】
このように、特許文献１に記載の撮影装置では、撮影環境の明るさ等に応じてＮＤフィルタを駆動することにより、ＮＤフィルタを撮影光学系の光路中に自動的に挿入し又は退避させる。特許文献１に記載の撮影装置では、ＮＤフィルタがユーザの意図に反して挿入された場合、シャッタ速度が遅くなることによって不必要に手ぶれが発生しやすい撮影条件になってしまう。一方、ＮＤフィルタの位置が自動的に切り替わらない構成の場合、ユーザは、ＮＤフィルタを撮影に用いるか否かを自己で判断しなければならない。このような判断は、例えば撮影装置の操作に不慣れなユーザには難しいという問題が指摘される。
【０００６】
本発明は上記の事情に鑑みてなされたものであり、その目的とするところは、ＮＤフィルタの使用の可否をユーザに判断させるのに好適な撮影装置を提供することである。
【課題を解決するための手段】
【０００７】
本発明の一形態に係る撮影装置は、開口径を変更することが可能な開口径可変部を含む撮影光学系と、撮影光学系を介した被写体像を受光して撮像信号に変換する撮像手段と、撮像手段の露光時間を変更することが可能な露光時間可変手段と、開口径可変部による開口径と、露光時間可変手段による撮像手段の露光時間とを含む第一の撮影条件を設定し制御することにより、撮像信号を所定のレベルに調整する制御手段と、第一の撮影条件に含まれる開口径及び露光時間の少なくとも一方を示す第一の撮影情報を所定の表示画面に表示する撮影情報表示手段とを備える。制御手段は、開口径と露光時間について第一の撮影条件に対して所定の減光フィルタによる減光効果を反映した値を第二の撮影条件として計算する。撮影情報表示手段は、第二の撮影条件に含まれる開口径及び露光時間の少なくとも一方を示す第二の撮影情報を第一の撮影情報と共に表示画面に表示する。
【０００８】
本発明の一形態によれば、ユーザは、減光フィルタによる減光効果を反映した撮影条件を、減光フィルタを実際に使用する前に視覚的情報として得ることができる。ユーザは、撮影条件を視認することにより、例えば減光フィルタを使用することによって開放絞りによる撮影が可能になることや長秒時撮影が可能になることを把握することができる。
【０００９】
また、撮影装置は、撮像信号のゲイン値を変更することが可能なゲイン値可変手段を備えた構成としてもよい。この場合、制御手段は、ゲイン値可変手段により変更されたゲイン値を考慮して第二の撮影条件を計算することができる。
【００１０】
また、撮影装置は、減光フィルタを撮影光学系の光路内と光路外との間で移動させる移動手段と、所定のメニュー項目の変更操作を受け付ける操作釦と、第一の撮影情報と第二の撮影情報とを表示中、移動手段による減光フィルタの位置を光路内と光路外との間で切り替える機能を、操作釦に割り当てる割当手段とを備えた構成としてもよい。
【００１１】
撮影情報表示手段は、例えば、第一の撮影情報と第二の撮影情報との間に操作釦を示す情報を並べて表示画面に表示する。
【００１２】
また、撮影情報表示手段は、第一の撮影条件と第二の撮影条件とを比較し、比較の結果に基づいて第二の撮影情報の表示の可否を決定する構成としてもよい。
【００１３】
また、撮影情報表示手段は、第二の撮影条件の開口径が第一の撮影条件の開口径よりも大きい場合に、第二の撮影情報のうち少なくとも開口径を示す情報を表示画面に表示する構成としてもよい。
【００１４】
また、撮影情報表示手段は、第二の撮影条件の露光時間が第一の撮影条件の露光時間よりも長い場合に、第二の撮影情報のうち少なくとも露光時間を示す情報を表示画面に表示する構成としてもよい。
【００１５】
また、撮影装置は、減光フィルタによる減光量の入力操作を受け付ける減光量入力手段を備えた構成としてもよい。この場合、制御手段は、開口径と露光時間について第一の撮影条件に対して減光量入力手段により入力された減光量を反映した値を第二の撮影条件として計算する。
【００１６】
また、撮影情報表示手段は、第二の撮影条件に関する所定の参照画像を表示画面に表示する構成としてもよい。
【発明の効果】
【００１７】
本発明の一形態によれば、ＮＤフィルタの使用の可否をユーザに判断させるのに好適な撮影装置が提供される。
【図面の簡単な説明】
【００１８】
【図１】本発明の実施形態の撮影装置の構成を示すブロック図である。
【図２】本発明の実施例１の撮影補助情報表示処理のフローチャートを示す図である。
【図３】本発明の実施例１におけるＬＣＤモニタの表示画面例を示す図である。
【図４】本発明の実施例２の撮影補助情報表示処理のフローチャートを示す図である。
【図５】本発明の実施例２における撮影装置のボディ背面を概略的に示す図である。
【図６】本発明の実施例３の撮影補助情報表示処理のフローチャートを示す図である。
【図７】本発明の実施例４の撮影補助情報表示処理のフローチャートを示す図である。
【図８】本発明の実施例４における撮影装置のボディ背面を概略的に示す図である。
【図９】別の実施形態における撮影装置のボディ背面を概略的に示す図である。
【図１０】擬似画像の生成処理の説明に必要な撮影装置内のブロック構成を示す図である。
【図１１】擬似画像の生成処理を説明するためのタイムチャートを示す図である。
【発明を実施するための形態】
【００１９】
以下、図面を参照して、本発明の実施形態に係る撮影装置について説明する。
【００２０】
［撮影装置の構成］
図１は、本実施形態の撮影装置の構成を示すブロック図である。本実施形態において、撮影装置１は、撮影レンズを交換可能なミラーレス一眼カメラであるが、例えば、デジタル一眼レフカメラ（クイックリターンミラー付、スルー画表示モード時）、コンパクトデジタルカメラ、カムコーダ、ＰＨＳ（Personal Handy phone System）、スマートフォン、フィーチャフォン又は携帯ゲーム機など、デジタル画像を撮影することが可能な別の形態の電子撮像装置に置き換えてもよい。
【００２１】
図１に示されるように、撮影装置１は、鏡胴ユニット１００を備えている。鏡胴ユニット１００は、撮影光学系１０２を備えている。撮影光学系１０２には、ズームレンズ群１０２ａ、フォーカスレンズ群１０２ｂ、多段絞り１０２ｃ、ＮＤフィルタ１０２ｄ及びメカニカルシャッタ１０２ｅが含まれる。また、鏡胴ユニット１００は、ズームモータ１０４ａ、フォーカスモータ１０４ｂ、多段絞りモータ１０４ｃ、ＮＤフィルタモータ１０４ｄ、メカニカルシャッタモータ１０４ｅ及びモータドライバ１０６を備えている。ズームモータ１０４ａ、フォーカスモータ１０４ｂ、多段絞りモータ１０４ｃ、ＮＤフィルタモータ１０４ｄ、メカニカルシャッタモータ１０４ｅは夫々、モータドライバ１０６より供給される駆動信号に従い、ズームレンズ群１０２ａ、フォーカスレンズ群１０２ｂ、多段絞り１０２ｃ、ＮＤフィルタ１０２ｄ、メカニカルシャッタ１０２ｅを駆動する。
【００２２】
また、撮影装置１は、ＣＣＤ（Charge Coupled Device）イメージセンサ１０８、フロントエンドＩＣ（Integrated Circuit）１１０、デジタルスチルカメラプロセッサ１１２、ＳＤＲＡＭ（Synchronous Dynamic Random Access Memory）１１４、操作キーユニット１１６、サブＣＰＵ（Central Processing Unit）１１８、測距ユニット１２０、ＬＣＤ（Liquid Crystal Display）ドライバ１２２、ＬＣＤモニタ１２４、ビデオアンプ１２６、ビデオジャック１２８及び内蔵メモリ１３０を備えている。
【００２３】
フロントエンドＩＣ１１０は、ＣＤＳ（Correlated Double Sampling）ブロック１１０ａ、ＡＧＣ（Automatic Gain Control）ブロック１１０ｂ、Ａ／Ｄ（Analog-to-Digital）変換ブロック１１０ｃ及びＴＧ（Timing Generator）ブロック１１０ｄを備えている。
【００２４】
デジタルスチルカメラプロセッサ１１２は、第一の信号処理ブロック１１２ａ、第二の信号処理ブロック１１２ｂ、ＣＰＵブロック１１２ｃ、ローカルＳＲＡＭ（Static Random Access Memory）１１２ｄ、シリアルブロック１１２ｅ、ＵＳＢ（Universal Serial Bus）ブロック１１２ｆ、ＪＰＥＧ（Joint Photographic Experts Group）コーディックブロック１１２ｇ、リサイズブロック１１２ｈ、ＴＶ（Television）信号表示ブロック１１２ｉ及びメモリカードコントローラブロック１１２ｊを備えている。
【００２５】
操作キーユニット１１６は、ユーザによる撮影装置１の入力操作を受け付けるユーザインタフェースであり、撮影装置１のボディ背面に設けられた操作釦やボディ上面に設けられたレリーズ釦等のメカニカルキー、各種スイッチ回路基板等により構成される。なお、操作キーユニット１１６は、ハードウェアユーザインタフェースに限らず、例えばタッチパネル等のソフトウェアインタフェース又はハードウェアユーザインタフェースとソフトウェアインタフェースとの組合せであってもよい。サブＣＰＵ１１８は、ＲＯＭ（Read Only Memory）及びＲＡＭ（Random Access Memory）をワンチップに内蔵したＣＰＵである。サブＣＰＵ１１８は、操作キーユニット１１６より入力されるユーザの操作に従った操作信号をＣＰＵブロック１１２ｃに出力する。
【００２６】
例えば、ユーザが操作キーユニット１１６を用いてズーム操作を行った場合を考える。この場合、操作キーユニット１１６は、所定のズーム操作信号をサブＣＰＵ１１８に出力する。ズーム操作信号は、サブＣＰＵ１１８を介してＣＰＵブロック１１２ｃに入力される。ＣＰＵブロック１１２ｃは、ローカルＳＲＡＭ１１２ｄに一時的に保存されているデータ等を必要に応じて呼び出しながら、撮影装置１の各構成要素を統括的に制御する。
【００２７】
ＣＰＵブロック１１２ｃは、サブＣＰＵ１１８より入力したズーム操作信号に基づいて所定のズーム制御信号をモータドライバ１０６に出力する。モータドライバ１０６は、ＣＰＵブロック１１２ｃより入力したズーム制御信号に基づいて所定のズーム駆動信号を生成して、ズームモータ１０４ａに出力する。ズームモータ１０４ａは、モータドライバ１０６より入力したズーム駆動信号に従い、ズームレンズ群１０２ａ（を構成する少なくとも一枚のレンズ）を光軸沿いに移動させる。このようにして、撮影光学系のズーミングが行われる。
【００２８】
ＣＰＵブロック１１２ｃは撮影光学系のズーミングと併せてＡＦ（Autofocus）制御を行うことができる。具体的には、ＣＰＵブロック１１２ｃは、測距ユニット１２０より採取した測距信号に基づいて所定のＡＦ制御信号をモータドライバ１０６に出力する。モータドライバ１０６は、ＣＰＵブロック１１２ｃより入力したＡＦ制御信号に基づいて所定のＡＦ駆動信号を生成して、フォーカスモータ１０４ｂに出力する。フォーカスモータ１０４ｂは、モータドライバ１０６より入力したＡＦ駆動信号に従い、フォーカスレンズ群１０２ｂ（を構成する少なくとも一枚のレンズ）を光軸沿いに移動させる。このようにして、撮影光学系のフォーカシングが行われる。
【００２９】
被写体からの光束は、撮影光学系の各構成要素（ズームレンズ群１０２ａ、フォーカスレンズ群１０２ｂ、多段絞り１０２ｃ、ＮＤフィルタ１０２ｄ、メカニカルシャッタ１０２ｅ）を通過して、ＣＣＤイメージセンサ１０８により受光される。本実施形態において、多段絞り１０２ｃとメカニカルシャッタ１０２ｅは別個独立した部品であるが、別の実施形態（例えば撮影装置１がコンパクトデジタルカメラ）では、これらの機能を兼ね備えたレンズシャッタに置き換えてもよい。
【００３０】
ＮＤフィルタ１０２ｄは、撮影光学系の光路内（挿入位置）と光路外（退避位置）との間で移動可能である。具体的には、操作キーユニット１１６は、ユーザによるＮＤフィルタの挿抜操作に従い、所定の切替操作信号をサブＣＰＵ１１８に出力する。切替操作信号は、サブＣＰＵ１１８を介してＣＰＵブロック１１２ｃに入力される。ＣＰＵブロック１１２ｃは、サブＣＰＵ１１８より入力した切替操作信号に基づいて所定の切替制御信号をモータドライバ１０６に出力する。モータドライバ１０６は、ＣＰＵブロック１１２ｃより入力した切替制御信号に基づいて所定の切替駆動信号を生成して、ＮＤフィルタモータ１０４ｄに出力する。ＮＤフィルタモータ１０４ｄは、モータドライバ１０６より入力した切替駆動信号に従い、ＮＤフィルタ１０２ｄを撮影光学系の光路内（挿入位置）から光路外（退避位置）に、又は光路外（退避位置）から光路内（挿入位置）に移動させる。被写体からの光束は、ＮＤフィルタ１０２ｄが光路内（挿入位置）に配置されているときに限り、ＮＤフィルタ１０２ｄを透過する。すなわち、被写体からの光束は、ＮＤフィルタ１０２ｄが光路内（挿入位置）に配置されているときに限り、ＮＤフィルタ１０２ｄによる減光作用を受ける。
【００３１】
ＴＧブロック１１０ｄは、第一の信号処理ブロック１１２ａより供給される垂直同期信号ＶＤ及び水平同期信号ＨＤに基づき、ＣＣＤイメージセンサ１０８及びフロントエンドＩＣ１１０を駆動させるのに必要なタイミング信号を発生させる。
【００３２】
ＣＣＤイメージセンサ１０８は、例えばベイヤ型画素配置を有する単板式カラーＣＣＤイメージセンサである。ＣＣＤイメージセンサ１０８は、ＴＧブロック１１０ｄより供給されるタイミング信号に従い、撮像面上の各画素で結像した光学像を光量に応じた電荷として蓄積して電気信号（撮像信号）に変換し、フロントエンドＩＣ１１０（ＣＤＳブロック１１０ａ）に出力する。
【００３３】
フロントエンドＩＣ１１０に入力された撮像信号は、ＣＤＳブロック１１０ａによる相関二重サンプリング、ＡＧＣブロック１１０ｂによるゲイン調整、Ａ／Ｄ変換ブロック１１０ｃによるデジタル信号変換が施される。変換後のデジタル信号は、デジタルスチルカメラプロセッサ１１２（第一の信号処理ブロック１１２ａ）に入力される。なお、ＣＣＤイメージセンサ１０８は、例えばＣＭＯＳ（Complementary Metal Oxide Semiconductor）イメージセンサなど、別の形態のイメージャであってもよい。
【００３４】
第一の信号処理ブロック１１２ａは、フロントエンドＩＣ１１０（Ａ／Ｄ変換ブロック１１０ｃ）より入力されるデジタル信号に対してホワイトバランス調整、補間処理、強調処理、γ補正、マトリクス演算等の所定の信号処理を施す。
【００３５】
第二の信号処理ブロック１１２ｂは、第一の信号処理ブロック１１２ａによる処理後の信号に対してＹ／Ｃ分離を行い、輝度信号Ｙ、色差信号Ｃｂ、Ｃｒ（以下、「ＹＵＶ画像データ」と記す。）を生成する。
【００３６】
第二の信号処理ブロック１１２ｂにより生成されたＹＵＶ画像データは、ＪＰＥＧコーディックブロック１１２ｇによってＪＰＥＧフォーマットで圧縮される。圧縮後のＪＰＥＧ画像データは、内蔵メモリ１３０又は不図示のメモリカードアダプタに差し込まれたメモリカードに保存される。メモリカードアダプタに差し込まれたメモリカードは、メモリカードコントローラブロック１１２ｊにより制御される。
【００３７】
なお、内蔵メモリ１３０又はメモリカードに保存される画像のフォーマットは、ＪＰＥＧフォーマットに限らない。保存される画像データは、例えば、第一の信号処理ブロック１１２ａによるホワイトバランス調整等の処理後であって第二の信号処理ブロック１１２ｂによる処理前のデータ（ＲＡＷ−ＲＧＢ画像データ）や、第二の信号処理ブロック１１２ｂによる処理後のデータ（ＹＵＶ画像データ）であってもよい。ＪＰＥＧ画像データやＲＡＷ−ＲＧＢ画像データ、ＹＵＶ画像データは、例えば、必要時に利用できるようにするため、ＳＤＲＡＭ１１４に一時的に保存される。
【００３８】
ＪＰＥＧ画像データは、ユーザにより操作キーユニット１１６を通じたリサイズ設定が行われている場合、内蔵メモリ１３０又はメモリカードに保存される際、設定に従ったリサイズ処理がリサイズブロック１１２ｈによって施される。
【００３９】
内蔵メモリ１３０又はメモリカードに保存されたＪＰＥＧ画像データは、例えば、シリアルブロック１１２ｅを介して接続されたＰＣ（Personal Computer）等の外部機器にシリアル通信にて転送され、また、ＵＳＢブロック１１２ｆを介して接続された外部機器にＵＳＢ通信にて転送される。
【００４０】
また、ＪＰＥＧ画像データは、ＴＶ信号表示ブロック１１２ｉに出力される。ＴＶ信号表示ブロック１１２ｉは、ＪＰＥＧ画像データをモニタやディスプレイ等の外部表示機器にて表示可能なビデオ信号に変換し、変換されたビデオ信号をＬＣＤドライバ１２２及びビデオアンプ１２６に出力する。ＬＣＤドライバ１２２は、ＴＶ信号表示ブロック１１２ｉより入力したビデオ信号をＬＣＤモニタ１２４にて表示可能なフォーマットに変換し、変換された信号をＬＣＤモニタ１２４に出力する。これにより、ＬＣＤモニタ１２４に、撮影画像（静止画）やスルー画が表示される。ビデオアンプ１２６は、ＴＶ信号表示ブロック１１２ｉより入力したビデオ信号を７５Ωインピーダンス変換し、変換された信号をビデオジャック１２８に出力する。これにより、ビデオジャック１２８に接続された外部表示機器に、撮影画像（静止画）やスルー画が表示される。
【００４１】
［撮影補助情報表示処理］
次に、ＮＤフィルタ１０２ｄを用いて撮影を行うかどうかの判断材料をＬＣＤモニタ１２４上に表示する撮影補助情報表示処理について説明する。ここでは、撮影補助情報表示処理について４例（実施例１〜４）説明する。
【００４２】
［実施例１］
図２は、本発明の実施例１の撮影補助情報表示処理のフローチャートを示す図である。本実施例１において、撮影補助情報は、ＮＤフィルタ１０２ｄを用いて撮影を行うという条件下で、多段絞り１０２ｃが最も開放側に近くなるときの情報を示す。
【００４３】
［図２のＳ１（ＡＥ（Automatic Exposure）処理）］
ＣＰＵブロック１１２ｃは、ユーザにより操作キーユニット１１６に対するレリーズ操作（半押し）が行われると、ＡＦ制御と共に、スルー画の信号レベルを検出し、検出された信号レベルが適正レベルとなるように、モータドライバ１０６を介して多段絞りモータ１０４ｃを駆動して、多段絞り１０２ｃの開口径を制御する。より詳細には、多段絞り１０２ｃの駆動制御は、プログラムＡＥ、シャッタ速度優先ＡＥ、絞り優先ＡＥなど、ユーザによる操作キーユニット１１６の操作により指定されたＡＥ機能に基づいて行われる。なお、ＣＰＵブロック１１２ｃは、撮影装置１に内蔵されたＴＴＬ（Through The Lens）露出計（不図示）で測定された適正露出が得られるように、多段絞り１０２ｃの開口径を制御してもよい。
【００４４】
ここでのＡＥ制御は例えばプログラムＡＥであり、ＮＤフィルタ１０２ｄが撮影光学系の光路外（退避位置）に配置されている状態での制御となる。そのため、ＣＰＵブロック１１２ｃは、ＮＤフィルタ１０２ｄが光路内（挿入位置）に配置されているときには、ＮＤフィルタ１０２ｄを一旦光路外（退避位置）へ移動させる。
【００４５】
ＡＥ制御では、アペックスシステムが利用される。アペックスシステムでは、多段絞り１０２ｃのＦ値、メカニカルシャッタ１０２ｅのシャッタ速度、ＩＳＯ感度、被写体輝度が夫々、絞り値Ａｖ、シャッタ速度Ｔｖ、ＩＳＯ感度Ｓｖ、被写体輝度Ｂｖに換算される。スルー画が適正レベルであるときの絞り値Ａｖ、シャッタ速度Ｔｖ、ＩＳＯ感度Ｓｖを夫々、Ａｖ０、Ｔｖ０、Ｓｖ０と定義した場合、被写体輝度Ｂｖｓは、次式により求まる。
Ｂｖｓ＝Ａｖ０＋Ｔｖ０−Ｓｖ０
【００４６】
ＣＰＵブロック１１２ｃは、ユーザによる操作キーユニット１１６の操作により指定されたＩＳＯ感度又は規定のＩＳＯ感度に対応するＳｖをＳｖｓと定義した場合に、被写体輝度ＢｖｓとＩＳＯ感度Ｓｖｓに応じて撮影時の予定絞り値Ａｖｓ及び予定シャッタ速度Ｔｖｓを算出する。予定絞り値Ａｖｓと予定シャッタ速度Ｔｖｓの値の分配については、ＣＰＵブロック１１２ｃに予め保持されている露出プログラム線図に従って決定される。被写体輝度ＢｖｓとＩＳＯ感度Ｓｖｓと予定絞り値Ａｖｓと予定シャッタ速度Ｔｖｓとの関係は、次式により示される。
Ｂｖｓ＋Ｓｖｓ＝Ａｖｓ＋Ｔｖｓ
【００４７】
［図２のＳ２（撮影情報表示処理）］
ＣＰＵブロック１１２ｃは、図２の処理ステップＳ１（ＡＥ処理）にて決定された予定絞り値Ａｖｓに対応するＦ値と、予定シャッタ速度Ｔｖｓに対応するシャッタ速度とを含む撮影情報をＬＣＤモニタ１２４上に表示させる。
【００４８】
［図２のＳ３（表示モード判定処理）］
ＣＰＵブロック１１２ｃは、現在の表示モードが撮影補助情報を表示する撮影補助情報表示モードに設定されているか否かを判定する。撮影補助情報表示モードは、ユーザによる操作キーユニット１１６の操作に従って設定可能である。ＣＰＵブロック１１２ｃは、現在の表示モードが撮影補助情報表示モードに設定されている場合（図２のＳ３：ＹＥＳ）、本フローチャートの処理を処理ステップＳ４（ＮＤ換算後の撮影条件計算処理）に進める。ＣＰＵブロック１１２ｃは、現在の表示モードが撮影補助情報表示モードに設定されていない場合（図２のＳ３：ＮＯ）、本フローチャートの処理を終了させる。
【００４９】
［図２のＳ４（ＮＤ換算後の撮影条件計算処理）］
ＣＰＵブロック１１２ｃは、ＮＤフィルタ１０２ｄによる減光量をアペックスシステムに適用して、想定絞り値Ａｖｃ及び想定シャッタ速度Ｔｖｃを次式により算出する。想定絞り値Ａｖｃ、想定シャッタ速度Ｔｖｃは夫々、ＮＤフィルタ１０２ｄを光路内（挿入位置）に配置して撮影した場合の絞り値、シャッタ速度を示す。次式では、ＮＤフィルタ１０２ｄによる減光量をアペックス値に置き換えた値（減光値）をＮｓと定義し、本時点での撮影で予定されるＩＳＯ感度Ｓｖｓ又はユーザによる操作キーユニット１１６の操作に従って指定されたＩＳＯ感度に対応するＳｖをＳｖｍと定義している。
Ｂｖｓ＋Ｓｖｍ−Ｎｓ＝Ａｖｃ＋Ｔｖｃ
【００５０】
減光値Ｎｓは、製品間で共通の固定値であってもよく、工場内で製品個々に調整された値であってもよい。また、ＩＳＯ感度Ｓｖｍは、Ｅｖ値（Ａｖｃ＋Ｔｖｃ）が小さくなるように（すなわち、潜在的に、絞り値Ａｖｃが小さい値となり、多段絞り１０２ｃが開放するように）、撮影装置１にて制御可能な最小の値にしてもよい。
【００５１】
被写体輝度Ｂｖｓ、減光値Ｎｓ及びＩＳＯ感度Ｓｖｍを、想定絞り値Ａｖｃと想定シャッタ速度Ｔｖｃとに分配する方法を説明する。ＣＰＵブロック１１２ｃは、多段絞り１０２ｃで最も開放のＡｖを想定絞り値Ａｖｃの初期値に設定し、初期値に対応する想定シャッタ速度Ｔｖｃを算出する。具体的には、ＣＰＵブロック１１２ｃは、設定した想定絞り値Ａｖｃと、これに対応する想定シャッタ速度Ｔｖｃとの組合せが制御可能範囲外（例えば多段絞り１０２ｃを大きく開いた状態においてメカニカルシャッタ１０２ｅのシャッタ速度が最高速であっても露出オーバー）となる場合、想定絞り値Ａｖｃの設定値を所定値（例えば１／３Ａｖ）刻みで増加させ、想定絞り値Ａｖｃの設定値を増加させる都度、増加後の想定絞り値Ａｖｃに対応する想定シャッタ速度Ｔｖｃを算出する。これにより、ＮＤフィルタ１０２ｄを用いて撮影を行うという条件下で、想定シャッタ速度Ｔｖｃが制御可能な値であって、かつこの場合に最も開放側に近い想定絞り値Ａｖｃが求まる。
【００５２】
［図２のＳ５（撮影補助情報表示処理）］
ＣＰＵブロック１１２ｃは、図２の処理ステップＳ２（撮影情報表示処理）にて表示された撮影情報（ＮＤフィルタ１０２ｄが光路外（退避位置）にあるときの、予定絞り値Ａｖｓに対応するＦ値と、予定シャッタ速度Ｔｖｓに対応するシャッタ速度）に加えて、撮影補助情報をＬＣＤモニタ１２４上に表示させる。撮影補助情報は、ＮＤフィルタ１０２ｄが光路内（挿入位置）にある状態でのＦ値とシャッタ速度を含む情報であり、より詳細には、図２の処理ステップＳ４（ＮＤ換算後の撮影条件計算処理）にて求められた想定絞り値Ａｖｃに対応するＦ値と、想定シャッタ速度Ｔｖｃに対応するシャッタ速度を含む。なお、本実施例１では、ユーザに提示する情報として絞り値Ａｖに主眼を置いている。そのため、ＬＣＤモニタ１２４上に表示させる撮影情報及び撮影補助情報には、少なくとも絞り値Ａｖが含まれていればよい。
【００５３】
図３に、本処理ステップＳ５による撮影補助情報の表示例を示す。図３に示されるように、ＬＣＤモニタ１２４の画面下領域に、撮影情報と撮影補助情報とが並べて表示される。図３の例では、撮影情報として「Ｆ５．６  １／５００」が表示され、撮影補助情報として「ＮＤ：Ｆ２．８  １／２５０」が表示される。
【００５４】
例えば、撮影装置１において、シャッタ速度が最高速「１／１０００」であり、開放Ｆ値が「２．８」であり、ＮＤフィルタ１０２ｄによる減光値が「−３Ｅｖ（いわゆるＮＤ８）」であり、ＮＤフィルタ１０２ｄが光路外（退避位置）にあるときの適正露出がＡＥプログラムに基づいて「Ｆ５．６、１／５００」と算出された場合を考える。この場合に、例えば、ＡＥモードを絞り優先ＡＥに切り替えて開放Ｆ値２．８に設定すると、最高速１／１０００であっても１Ｅｖオーバーとなり適正露出にはならない。しかし、ＮＤフィルタ１０２ｄを光路内（挿入位置）に配置することで３Ｅｖ減光されるため、開放Ｆ値２．８とシャッタ速度１／２５０との組合せが可能となる。そのため、図３の例に示されるように、ユーザは、ＮＤフィルタ１０２ｄを使用することによって適正な明るさの画像を開放絞りで撮影できるという選択肢を視認することができる。なお、ＮＤフィルタ１０２ｄを使用することによって開放絞りによる撮影が可能であることをユーザにより簡易に認識させるため、「Ｆ２．８」に代えて又は「Ｆ２．８」と共に開放絞りを示すアイコンをＬＣＤモニタ１２４に表示させてもよい。
【００５５】
［図２のＳ６（ＮＤフィルタの位置判定処理）］
ＣＰＵブロック１１２ｃは、ＮＤフィルタ１０２ｄが光路外（退避位置）に配置されているか否かを判定する。ＮＤフィルタ１０２ｄは、初期的には光路外（退避位置）に配置されている。ＣＰＵブロック１１２ｃは、ＮＤフィルタ１０２ｄが光路外（退避位置）に配置されている場合（図２のＳ６：ＹＥＳ）、本フローチャートの処理を処理ステップＳ７（選択情報判定処理）に進める。ＣＰＵブロック１１２ｃは、ＮＤフィルタ１０２ｄが光路内（挿入位置）に配置されている場合（図２のＳ６：ＮＯ）、本フローチャートの処理を処理ステップＳ９（選択情報判定処理）に進める。
【００５６】
［図２のＳ７（選択情報判定処理）］
ユーザは、操作キーユニット１１６を操作することにより、撮影情報及び撮影補助情報の一方を選択することができる。図３に示されるように、選択された情報は、所定の矩形枠にて囲われる。ＣＰＵブロック１１２ｃは、ユーザによる操作キーユニット１１６の操作により、撮影補助情報が選択されたか否かを判定する。ＣＰＵブロック１１２ｃは、撮影補助情報を選択する操作が行われた場合（図２のＳ７：ＹＥＳ）、本フローチャートの処理を処理ステップＳ８（ＮＤフィルタの挿入処理）に進める。ＣＰＵブロック１１２ｃは、撮影補助情報を選択する操作が行われない場合（言い換えると、撮影情報が選択されたままの状態の場合）（図２のＳ７：ＮＯ）、本フローチャートの処理を処理ステップＳ１１（レリーズ判定処理）に進める。
【００５７】
［図２のＳ８（ＮＤフィルタの挿入処理）］
ＣＰＵブロック１１２ｃは、ユーザによる操作キーユニット１１６の操作に従い、ＬＣＤモニタ１２４に表示されている矩形枠を撮影情報から撮影補助情報に移動させると共に、ＮＤフィルタ１０２ｄを撮影光学系の光路外（退避位置）から光路内（挿入位置）に移動させる。ＣＰＵブロック１１２ｃは次いで、本フローチャートの処理を処理ステップＳ１１（レリーズ判定処理）に進める。
【００５８】
［図２のＳ９（選択情報判定処理）］
ＣＰＵブロック１１２ｃは、ユーザによる操作キーユニット１１６の操作により、撮影情報が選択されたか否かを判定する。ＣＰＵブロック１１２ｃは、撮影情報を選択する操作が行われた場合（図２のＳ９：ＹＥＳ）、本フローチャートの処理を処理ステップＳ１０（ＮＤフィルタの退避処理）に進める。ＣＰＵブロック１１２ｃは、撮影情報を選択する操作が行われない場合（言い換えると、撮影補助情報が選択されたままの状態の場合）（図２のＳ９：ＮＯ）、本フローチャートの処理を処理ステップＳ１１（レリーズ判定処理）に進める。
【００５９】
［図２のＳ１０（ＮＤフィルタの退避処理）］
ＣＰＵブロック１１２ｃは、ユーザによる操作キーユニット１１６の操作に従い、ＬＣＤモニタ１２４に表示されている矩形枠を撮影補助情報から撮影情報に移動させると共に、ＮＤフィルタ１０２ｄを撮影光学系の光路内（挿入位置）から光路外（退避位置）に移動させる。ＣＰＵブロック１１２ｃは次いで、本フローチャートの処理を処理ステップＳ１１（レリーズ判定処理）に進める。
【００６０】
［図２のＳ１１（レリーズ判定処理）］
ＣＰＵブロック１１２ｃは、レリーズ操作（全押し）が行われたか否かを判定する。ＣＰＵブロック１１２ｃは、レリーズ操作（全押し）が行われない場合（図２のＳ１１：ＮＯ）、図２の処理ステップＳ６（ＮＤフィルタの位置判定処理）に処理を戻す。ＣＰＵブロック１１２ｃは、レリーズ操作（全押し）が行われた場合（図２のＳ１１：ＹＥＳ）、本フローチャートの処理を終了させる。
【００６１】
図３の例によれば、撮影情報「Ｆ５．６  １／５００」が選択されている状態でレリーズ操作（全押し）が行われることにより、ＮＤフィルタ１０２ｄが光路外（退避位置）に位置している状態での撮影（絞り値Ｆ５．６、シャッタ速度１／５００）が行われる。また、撮影補助情報「ＮＤ：Ｆ２．８  １／２５０」が選択されている状態でレリーズ操作（全押し）が行われることにより、ＮＤフィルタ１０２ｄが光路内（挿入位置）に位置している状態での撮影（絞り値Ｆ２．８、シャッタ速度１／２５０）が行われる。
【００６２】
［実施例２］
図４は、本発明の実施例２の撮影補助情報表示処理のフローチャートを示す図である。本実施例２において、本実施例１と重複する内容については、便宜上その説明を適宜省略又は簡略する。例えば、図４の処理ステップＳ１０１〜Ｓ１０６、Ｓ１１１は夫々、図２の処理ステップＳ１〜Ｓ６、Ｓ１１と同じであるため、説明を省略する。
【００６３】
［図４のＳ１０３−１（メニュー画面表示判定処理）］
ＣＰＵブロック１１２ｃは、撮影補助情報表示モードに設定されていない場合に、ＬＣＤモニタ１２４にて所定のメニュー画面が表示中であるか否かを判定する。所定のメニュー画面とは、例えば、撮影モードの選択メニュー画面やコンフィグ画面である。ＣＰＵブロック１１２ｃは、所定のメニュー画面が表示中である場合（図４のＳ１０３−１：ＹＥＳ）、本フローチャートの処理を処理ステップＳ１０３−２（メニュー画面操作処理）に進める。ＣＰＵブロック１１２ｃは、所定のメニュー画面が表示中でない場合（図４のＳ１０３−１：ＮＯ）、本フローチャートの処理を終了させる。
【００６４】
［図４のＳ１０３−２（メニュー画面操作処理）］
図５（ａ）、図５（ｂ）は、撮影装置１のボディ背面を概略的に示す図である。図５（ａ）、図５（ｂ）の各図に示されるように、撮影装置１のボディ背面にはＬＣＤモニタ１２４の他、操作キーユニット１１６を構成する十字キー１１６ａが設けられている。十字キー１１６ａを構成する各方向キーには、ＬＣＤモニタ１２４に表示されたメニュー画面内の各項目を選択する機能が割り当てられている。ＣＰＵブロック１１２ｃは、ユーザによる十字キー１１６ａの操作に従い、メニュー画面内での選択項目を変更する。
【００６５】
［図４のＳ１０７（選択情報判定処理）］
ＣＰＵブロック１１２ｃは、撮影補助情報表示モードに設定されており、かつＮＤフィルタ１０２ｄが光路外（退避位置）に配置されている場合、図５（ａ）に示されるように、ＬＣＤモニタ１２４の画面下領域に表示される撮影情報「Ｆ５．６  １／５００」と撮影補助情報「ＮＤ：Ｆ２．８  １／２５０」との間に、十字キー１１６ａの右キーを示すアイコン（右向き三角アイコン）を表示させると共に、撮影補助情報「ＮＤ：Ｆ２．８  １／２５０」を選択するための機能を十字キー１１６ａの右キーに割り当てる。
【００６６】
ＣＰＵブロック１１２ｃは、十字キー１１６ａの右キーが押されたか否かを判定する。ＣＰＵブロック１１２ｃは、十字キー１１６ａの右キーが押された場合（図４のＳ１０７：ＹＥＳ）、本フローチャートの処理を処理ステップＳ１０８（ＮＤフィルタの挿入処理）に進める。ＣＰＵブロック１１２ｃは、十字キー１１６ａの右キーが押されていない場合（図４のＳ１０７：ＮＯ）、本フローチャートの処理を処理ステップＳ１１１（レリーズ判定処理）に進める。
【００６７】
［図４のＳ１０８（ＮＤフィルタの挿入処理）］
ＣＰＵブロック１１２ｃは、図５（ｂ）に示されるように、ＬＣＤモニタ１２４に表示されている矩形枠を撮影情報「Ｆ５．６  １／５００」から撮影補助情報「ＮＤ：Ｆ２．８  １／２５０」に移動させると共に、撮影情報と撮影補助情報との間に十字キー１１６ａの左キーを示すアイコン（左向き三角アイコン）を表示させ、かつ撮影情報「Ｆ５．６  １／５００」を選択するための機能を十字キー１１６ａの左キーに割り当てる。ＣＰＵブロック１１２ｃはまた、ＮＤフィルタ１０２ｄを撮影光学系の光路外（退避位置）から光路内（挿入位置）に移動させる。ＣＰＵブロック１１２ｃは次いで、本フローチャートの処理を処理ステップＳ１１１（レリーズ判定処理）に進める。
【００６８】
［図４のＳ１０９（選択情報判定処理）］
ＣＰＵブロック１１２ｃは、撮影補助情報表示モードに設定されており、かつＮＤフィルタ１０２ｄが光路内（挿入位置）に配置されている場合、図５（ｂ）に示されるように、ＬＣＤモニタ１２４の画面下領域に表示される撮影情報「Ｆ５．６  １／５００」と撮影補助情報「ＮＤ：Ｆ２．８  １／２５０」との間に、十字キー１１６ａの左キーを示すアイコンを表示させると共に、撮影情報「Ｆ５．６  １／５００」を選択するための機能を十字キー１１６ａの左キーに割り当てる。
【００６９】
ＣＰＵブロック１１２ｃは、十字キー１１６ａの左キーが押されたか否かを判定する。ＣＰＵブロック１１２ｃは、十字キー１１６ａの左キーが押された場合（図４のＳ１０９：ＹＥＳ）、本フローチャートの処理を処理ステップＳ１１０（ＮＤフィルタの退避処理）に進める。ＣＰＵブロック１１２ｃは、十字キー１１６ａの左キーが押されていない場合（図４のＳ１０９：ＮＯ）、本フローチャートの処理を処理ステップＳ１１１（レリーズ判定処理）に進める。
【００７０】
［図４のＳ１１０（ＮＤフィルタの退避処理）］
ＣＰＵブロック１１２ｃは、図５（ａ）に示されるように、ＬＣＤモニタ１２４に表示されている矩形枠を撮影補助情報「ＮＤ：Ｆ２．８  １／２５０」から撮影情報「Ｆ５．６  １／５００」に移動させると共に、撮影情報と撮影補助情報との間に十字キー１１６ａの右キーを示すアイコンを表示させ、かつ撮影補助情報「ＮＤ：Ｆ２．８  １／２５０」を選択するための機能を十字キー１１６ａの右キーに割り当てる。ＣＰＵブロック１１２ｃはまた、ＮＤフィルタ１０２ｄを撮影光学系の光路内（挿入位置）から光路外（退避位置）に移動させる。ＣＰＵブロック１１２ｃは次いで、本フローチャートの処理を処理ステップＳ１１１（レリーズ判定処理）に進める。
【００７１】
このように、本実施例２では、撮影時に使用しやすい十字キー１１６ａの左右キーに撮影情報「Ｆ５．６  １／５００」と撮影補助情報「ＮＤ：Ｆ２．８  １／２５０」とを選択的に切り替える機能を割り当てる。これにより、ＮＤフィルタ１０２ｄを切り替える際の操作性が向上する。
【００７２】
［実施例３］
図６は、本発明の実施例３の撮影補助情報表示処理のフローチャートを示す図である。本実施例３において、本実施例１〜２と重複する内容については、便宜上その説明を適宜省略又は簡略する。例えば、図６の処理ステップＳ２０１〜Ｓ２１１は、図２の処理ステップＳ１〜Ｓ１１と同じであるため、説明を省略する。
【００７３】
［図６のＳ２０４−１（開放判定処理）］
ＣＰＵブロック１１２ｃは、図６の処理ステップＳ２０４（ＮＤ換算後の撮影条件計算処理）にて求められた想定絞り値Ａｖｃが開放絞り値であるか否かを判定する。ＣＰＵブロック１１２ｃは、想定絞り値Ａｖｃが開放絞り値である場合（図６のＳ２０４−１：ＹＥＳ）、本フローチャートの処理を処理ステップＳ２０５（撮影補助情報表示処理）に進める。ＣＰＵブロック１１２ｃは、想定絞り値Ａｖｃが開放絞り値でない場合（図６のＳ２０４−１：ＮＯ）、撮影補助情報の表示を行うことなく、本フローチャートの処理を終了させる。
【００７４】
このように、本実施例３では、ＮＤフィルタ１０２ｄを使用する際に多段絞り１０２ｃが開放となる場合に限り、撮影補助情報を表示する。また、本実施例３の変形例として、ＣＰＵブロック１１２ｃは、図６の処理ステップＳ２０４（ＮＤ換算後の撮影条件計算処理）にて求められた想定絞り値Ａｖｃが図６の処理ステップＳ２０１（ＡＥ処理）にて求められた予定絞り値Ａｖｓよりも小さい値か否かを判定する。ＣＰＵブロック１１２ｃは、想定絞り値Ａｖｃの方が小さい値の場合（つまり、ＮＤフィルタ１０２ｄを使用することで多段絞り１０２ｃの開口径を大きくすることができた場合）に限り、撮影補助情報（少なくともＦ値）を表示する。
【００７５】
［実施例４］
図７は、本発明の実施例４の撮影補助情報表示処理のフローチャートを示す図である。本実施例４において、本実施例１〜３と重複する内容については、便宜上その説明を適宜省略又は簡略する。例えば、図７の処理ステップＳ３０１〜Ｓ３１１は、図２の処理ステップＳ１〜Ｓ１１と同じであるため、説明を省略する。また、図７の処理ステップＳ３０３−１、Ｓ３０３−２は、図４の処理ステップＳ１０３−１、Ｓ１０３−２と同じであるため、説明を省略する。
【００７６】
［図７のＳ３０３−３（ＩＳＯ感度表示判定処理）］
ＣＰＵブロック１１２ｃは、撮影補助情報表示モードに設定されている場合に、ＩＳＯ感度がＬＣＤモニタ１２４に表示されているか否かを判定する。ＣＰＵブロック１１２ｃは、図８の表示画面例に示されるように、ＩＳＯ感度が表示されている場合（図７のＳ３０３−３：ＹＥＳ）、本フローチャートの処理を処理ステップＳ３０３−５（ＩＳＯ感度変更処理）に進める。ＣＰＵブロック１１２ｃは、ＩＳＯ感度が表示されていない場合（図７のＳ３０３−３：ＮＯ）、本フローチャートの処理を処理ステップＳ３０３−４（ＩＳＯ感度表示処理）に進める。
【００７７】
［図７のＳ３０３−４（ＩＳＯ感度表示処理）］
ＣＰＵブロック１１２ｃは、現在設定されているＩＳＯ感度をＬＣＤモニタ１２４に表示させる。ＣＰＵブロック１１２ｃは、ＩＳＯ感度の表示後、本フローチャートの処理を処理ステップＳ３０３−５（ＩＳＯ感度変更処理）に進める。
【００７８】
［図７のＳ３０３−５（ＩＳＯ感度変更処理）］
ＣＰＵブロック１１２ｃは、図８の表示画面例に示されるように、ＬＣＤモニタ１２４の画面下領域に表示される撮影情報「Ｆ５．６  １／５００」と撮影補助情報「ＮＤ：Ｆ２．８  １／２５０」との間に、十字キー１１６ａの上下キーを示すアイコン（上向き三角アイコン及び下向き三角アイコン）を表示させると共に、ＩＳＯ感度を変更するための機能を上下キーに割り当てる。ＣＰＵブロック１１２ｃは、ユーザによる上下キーの操作に従い、ＩＳＯ感度Ｓｖｍを変更する。ユーザは、例えば、ＩＳＯ感度Ｓｖｍを小さい値に変更することにより、撮影補助情報の想定絞り値Ａｖｃをより開放側に変更することができる。
【００７９】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００８０】
例えば、ＮＤフィルタ１０２ｄは、鏡胴ユニット１００に内蔵された構成に限らず、ＮＤが異なる別のＮＤフィルタに交換することもできる。ユーザは、図９のカメラボディ背面図に示されるように、ＬＣＤモニタ１２４に表示されたコンフィグ画面において十字キー１１６ａの上下キーを操作することにより、減光値Ｎｓを指定することができる。ユーザは、鏡胴ユニット１００に装着した又は装着を検討しているＮＤフィルタに対応する減光値Ｎｓを指定し、指定された減光値Ｎｓを用いて撮影条件が算出されＬＣＤモニタ１２４に表示されることにより、当該ＮＤフィルタ使用時の撮影条件（想定絞り値Ａｖｃ及び想定シャッタ速度Ｔｖｃ）を把握することができる。
【００８１】
また、上記実施形態では、多段絞り１０２ｃを開放又は開放に近付けることを目的としてＮＤフィルタ１０２ｄの使用の可否をユーザに判断させる構成となっている。すなわち、ＮＤフィルタ１０２ｄによる減光値を、（１）多段絞り１０２ｃのＦ値、（２）メカニカルシャッタ１０２ｅのシャッタ速度、の優先順位で補う（Ｆ値及びシャッタ速度で補うことができない値はＩＳＯ感度で補う。）。これに対し、別の実施形態では、撮影秒時を長くする（シャッタ速度を低速にする）ことを目的としてＮＤフィルタ１０２ｄの使用の可否をユーザに判断させる構成としてもよい。すなわち、ＮＤフィルタ１０２ｄによる減光値を、（１）メカニカルシャッタ１０２ｅのシャッタ速度、（２）多段絞り１０２ｃのＦ値、の優先順位で補う（Ｆ値及びシャッタ速度で補うことができない値はＩＳＯ感度で補う。）。撮影秒時を長くすることにより、例えば川の流れを絹糸のようにみせる効果が得られる。小絞りでの光の回折現象による画像の劣化を避けるために多段絞り１０２ｃをある程度まで開いた状態で撮影秒時を長くするには、ＮＤフィルタ１０２ｄの使用が有効である。前者の優先順位のモードと後者の優先順位のモードは、ユーザが操作によって適宜選択できるようにしてもよい。
【００８２】
別の実施形態において、被写体輝度Ｂｖｓ、減光値Ｎｓ及びＩＳＯ感度Ｓｖｍを、想定絞り値Ａｖｃと想定シャッタ速度Ｔｖｃとに分配する方法を説明する。ＣＰＵブロック１１２ｃは、長い撮影秒時（例えば１秒であり、Ｔｖｃ＝０）を想定シャッタ速度Ｔｖｃの初期値に設定し、初期値に対応する想定絞り値Ａｖｃを算出する。具体的には、ＣＰＵブロック１１２ｃは、設定した想定シャッタ速度Ｔｖｃと、これに対応する想定絞り値Ａｖｃとの組合せが制御可能範囲外（例えばメカニカルシャッタ１０２ｅのシャッタ速度を低速にした状態において多段絞り１０２ｃが最小絞りであっても露出オーバー）となる場合、想定シャッタ速度Ｔｖｃの設定値を所定値（例えば１／３Ｔｖ）刻みで増加させ、想定シャッタ速度Ｔｖｃの設定値を増加させる都度、増加後の想定シャッタ速度Ｔｖｃに対応する想定絞り値Ａｖｃを算出する。これにより、ＮＤフィルタ１０２ｄを用いて撮影を行うという条件下で、想定絞り値Ａｖｃが制御可能な値であって、かつこの場合に撮影秒時が最も長い想定シャッタ速度Ｔｖｃが求まる。ユーザは、ＬＣＤモニタ１２４に表示される撮影補助情報（想定絞り値Ａｖｃ及び想定シャッタ速度Ｔｖｃ）を視認することにより、ＮＤフィルタ１０２ｄを使用して長秒時撮影を行うか否かを判断することができる。
【００８３】
なお、別の実施形態では、ユーザに提示する情報としてシャッタ速度Ｔｖに主眼を置いている。そのため、ＬＣＤモニタ１２４上に表示させる撮影情報及び撮影補助情報には、少なくともシャッタ速度Ｔｖが含まれていればよい。
【００８４】
また、別の実施形態においても、本実施例１〜４の各実施例を適用することができる。例えば、本実施例３の変形例を適用した場合を考える。この場合、ＣＰＵブロック１１２ｃは、想定シャッタ速度Ｔｖｃが予定シャッタ速度Ｔｖｓよりも小さい値か否かを判定する。ＣＰＵブロック１１２ｃは、想定シャッタ速度Ｔｖｃの方が小さい値の場合（つまり、ＮＤフィルタ１０２ｄを使用することで撮影秒時を長くすることができた場合）に限り、撮影補助情報（少なくともシャッタ速度）を表示する。
【００８５】
また、ＮＤフィルタ１０２ｄの使用時に撮影されると予想される画像を擬似的に生成し、生成された擬似画像を参照画像としてＬＣＤモニタ１２４に表示させてもよい。
【００８６】
図１０は、擬似画像の生成処理の説明に必要な撮影装置１内のブロック構成を示す図である。図１１は、擬似画像の生成処理を説明するためのタイムチャートを示す図である。ここでは、ＲＡＷ−ＲＧＢ画像データ（第一の信号処理ブロック１１２ａによる処理後の信号）を用いた擬似画像の生成例を説明する。
【００８７】
図１０に示されるように、デジタルスチルカメラプロセッサ１１２は、アンプ１３２、１３４、バッファ１３６、スイッチＳＷ１及びＳＷ２を備えている。スイッチＳＷ１及びＳＷ２は、図１０中矢印にて示される経路を接続・遮断する。具体的には、スイッチＳＷ１は、アンプ１３２からバッファ１３６への経路（矢印Ｋ１−１）を接続又は遮断し、アンプ１３４からスイッチＳＷ２への経路（矢印Ｋ１−２）を接続又は遮断する。スイッチＳＷ２は、第一の信号処理ブロック１１２ａからＳＤＲＡＭ１１４への経路（矢印Ｋ２−１）を接続又は遮断し、スイッチＳＷ１からＳＤＲＡＭ１１４への経路（矢印Ｋ２−２）を接続又は遮断する。
【００８８】
第一の信号処理ブロック１１２ａは、一フレーム期間（例えば２５０μｓ）毎に、一枚の画像を構成するＲＡＷ−ＲＧＢ画像データ（２５０μｓ分の露光画像データ）を、次の条件１で動作する後段の回路（図１０中、第一の信号処理ブロック１１２ａとＳＤＲＡＭ１１４との間の回路）に撮像同期信号に同期したタイミングで出力する。
（条件１）
・各アンプ１３２、１３４の増幅率を０．５に設定
・矢印Ｋ１−１の経路を接続
・矢印Ｋ１−２の経路を遮断
【００８９】
条件１では、第一の信号処理ブロック１１２ａより出力されたＲＡＷ−ＲＧＢ画像データは、アンプ１３２によって１／２のレベルに落とされた後、スイッチＳＷ１を介してバッファ１３６に入力しバッファリングされる。バッファ１３６では、入力したＲＡＷ−ＲＧＢ画像データ（×増幅率０．５）と、前フレーム期間にバッファリングされたＲＡＷ−ＲＧＢ画像データ（×増幅率０．５）とが加算される。
【００９０】
後段の回路（第一の信号処理ブロック１１２ａとＳＤＲＡＭ１１４との間の回路）は、一フレーム期間のうちのブランキング期間中、次の条件２で動作する。
（条件２）
・各アンプ１３４の増幅率を１．０に設定
・矢印Ｋ１−２、Ｋ２−２の経路を接続
・矢印Ｋ１−１の経路を遮断
【００９１】
条件２では、バッファ１３６にて加算されたＲＡＷ−ＲＧＢ画像データは、アンプ１３４、スイッチＳＷ１、ＳＷ２を介してＳＤＲＡＭ１１４に入力し、バッファ１１４ａ、１１４ｂ、１１４ｃ、１１４ｄに順次振り分けられる。すなわち、ＳＤＲＡＭ１１４には、バッファ１１４ａ〜１１４ｄの４つのバッファを合わせると、現時点より約１秒間遡った範囲のＲＡＷ−ＲＧＢ画像データ（２５０μｓの露光画像データ×４）がバッファリングされることになる。
【００９２】
図１１のタイミングＥにおいて撮影秒時１秒（想定シャッタ速度Ｔｖｃ）に相当する擬似画像をＬＣＤモニタ１２４に表示させる場合を考える。この場合、バッファ１１４ｄへの画像データＤ−１の格納完了を待機後、格納完了後の画像データＤ−１（撮影秒時０．２５秒）、既に格納されているバッファ１１４ａ内の画像データＡ−１（撮影秒時０．２５秒）、バッファ１１４ｂ内の画像データＢ−１（撮影秒時０．２５秒）及びバッファ１１４ｃ内の画像データＣ−１（撮影秒時０．２５秒）が加算されることにより、撮影秒時１秒相当の擬似画像が生成される。また、タイミングＦの場合は、画像データＢ−１と画像データＣ−１と画像データＤ−１と画像データＡ−２とが加算されることにより、撮影秒時１秒相当の擬似画像が生成される。生成された擬似画像がＬＣＤモニタ１２４に表示されることにより、ユーザは、視覚的情報が一層豊富な擬似画像を参照した上で、ＮＤフィルタ１０２ｄを使用して長秒時撮影を行うか否かを判断することができる。擬似画像は、想定シャッタ速度Ｔｖｃに代えて、又は想定シャッタ速度Ｔｖｃと併せてＬＣＤモニタ１２４に表示されてもよい。
【００９３】
なお、バッファ１３６からＳＤＲＡＭ１１４への書き込みに時間が掛かる場合は、スイッチＳＷ２により矢印Ｋ２−１（第一の信号処理ブロック１１２ａからＳＤＲＡＭ１１４）の経路を遮断してもよい。この場合は、例えばバッファ１１４ａ〜１１４ｄに既に格納されている画像データを用いてスルー画の表示を行うことができる。
【符号の説明】
【００９４】
１  撮影装置
１００  鏡胴ユニット
１０２  撮影光学系
１０２ａ  ズームレンズ群
１０２ｂ  フォーカスレンズ群
１０２ｃ  多段絞り
１０２ｄ  ＮＤフィルタ
１０２ｅ  メカニカルシャッタ
１０４ａ  ズームモータ
１０４ｂ  フォーカスモータ
１０４ｃ  多段絞りモータ
１０４ｄ  ＮＤフィルタモータ
１０４ｅ  メカニカルシャッタモータ
１０６  モータドライバ
１０８  ＣＣＤイメージセンサ
１１０  フロントエンドＩＣ
１１０ａ  ＣＤＳブロック
１１０ｂ  ＡＧＣブロック
１１０ｃ  Ａ／Ｄ変換ブロック
１１０ｄ  ＴＧブロック
１１２  デジタルスチルカメラプロセッサ
１１２ａ  第一の信号処理ブロック
１１２ｂ  第二の信号処理ブロック
１１２ｃ  ＣＰＵブロック
１１２ｄ  ローカルＳＲＡＭ
１１２ｅ  シリアルブロック
１１２ｆ  ＵＳＢブロック
１１２ｇ  ＪＰＥＧコーディックブロック
１１２ｈ  リサイズブロック
１１２ｉ  ＴＶ信号表示ブロック
１１２ｊ  メモリカードコントローラブロック
１１４  ＳＤＲＡＭ
１１６  操作キーユニット
１１６ａ  十字キー
１１８  サブＣＰＵ
１２０  測距ユニット
１２２  ＬＣＤドライバ
１２４  ＬＣＤモニタ
１２６  ビデオアンプ
１２８  ビデオジャック
１３０  内蔵メモリ
【図１】
2014202879.tif 000003
【図２】
2014202879.tif 000004
【図３】
2014202879.tif 000005
【図４】
2014202879.tif 000006
【図５】
2014202879.tif 000007
【図６】
2014202879.tif 000008
【図７】
2014202879.tif 000009
【図８】
2014202879.tif 000010
【図９】
2014202879.tif 000011
【図１０】
2014202879.tif 000012
【図１１】
2014202879.tif 000013